(57)【要約】【課題】値札の取り付けおよび取り外し作業が容易なコンテナを提供する。【解決手段】コンテナ１０は、矩形の底壁１２と、底壁１２の短辺側から上方に連続する２つ側壁１４と、長辺側から上方に連続する２つの側壁１６と、側壁１４、１６から横方向に張り出す補強壁２０、２２を備え、補強壁２０、２２には上下方向に貫通する孔２６、２８が設けられている。値札４０をコンテナ１０に取り付けるときには、支持棒４２を孔２６、２８に挿すだけでよく、また取り外すときには支持棒４２を孔２６、２８から抜くだけでよい。【選択図】図３
0003152194.tif 000002
【実用新案登録請求の範囲】
【請求項１】
底壁と、前記底壁の外周辺と連続する側壁と、前記側壁の外側に張り出す補強壁を備え、前記補強壁に上下方向に貫通する孔が設けられていることを特徴とするコンテナ。
【請求項２】
前記補強壁が上下方向に距離をおいて配された複数の補強壁からなり、少なくとも上から２つの補強壁にそれぞれ設けられている前記孔が上下方向において連通していることを特徴とする請求項１に記載のコンテナ。
【請求項３】
前記複数の補強壁のうち少なくとも1つの補強壁が前記側壁の高さ方向における中心より下方寄りに配されていることを特徴とする請求項１または２に記載のコンテナ。
【請求項４】
前記孔が横方向に距離をおいた少なくとも２箇所に設けられていることを特徴とする請求項１乃至３の何れかに記載のコンテナ。
【考案の詳細な説明】
【技術分野】
【０００１】
本考案は、野菜や果物などの食品の運搬に用いるコンテナに関する。
【背景技術】
【０００２】
コンテナは野菜や果物などの食品を生産地から小売店などに運搬する際に用いられるものであるが、小売店の中には、コンテナをそのまま店頭に並べ、収納されている野菜や果物などを客が直に取り出して購入できるようにしているところも多い。
【０００３】
コンテナを店頭に並べる場合、値札をどこに取り付けるかという問題がある。コンテナには野菜や果物などの商品が隙間なく詰め込まれていることが多いため、コンテナの内側に値札を取り付けるのは難しい。無理に付けようとすると商品に傷をつけたり、客が商品を選ぶ際に邪魔になったりもすることもある。コンテナの脇に値札を立てることも考えられるが、たくさんのコンテナが並んでいると、どの値札がどの商品のものか判別しづらく、またコンテナを移動させるときに値札も一緒に移動させなければならず煩雑である。コンテナの側壁に紐や番線などを用いて縛り付ける方法もあるが、コンテナを本体の目的である運搬に用いる際には結び目を緩めて値札を取り外す作業を要し、これも煩雑である。
【０００４】
なお、これらの内容を開示する先行技術文献は発見できなかった。
【考案の概要】
【考案が解決しようとする課題】
【０００５】
本考案が解決しようとする課題は、値札の取り付けおよび取り外し作業を容易にすることである。
【課題を解決するための手段】
【０００６】
本考案は、前述した課題を解決するため、底壁と、前記底壁の外周辺と連続する側壁と、前記側壁の外側に張り出す補強壁を備え、前記補強壁に上下方向に貫通する孔が設けられていることを特徴とするコンテナとして構成されている。このコンテナに値札を取り付けるときには、補強壁の孔に値札を支える支持棒を挿し込むだけであり、値札を取り外すときには孔から支持棒を抜き取るだけであるので、値札の取り付けおよび取り外し作業に煩雑さがなく極めて容易である。なお、側壁は商品を収納する側を内側とし、この反対側を外側としている。
【０００７】
また、前記補強壁が上下方向に距離をおいて配された複数の補強壁からなり、少なくとも上から２つの補強壁にそれぞれ設けられている前記孔が上下方向において連通しているコンテナとして構成することもできる。このように構成すれば、支持棒は２つの補強壁によって２点で支持されることになって値札の位置が安定する。
【０００８】
また、前記複数の補強壁のうち少なくとも１つの補強壁が前記側壁の高さ方向における中心より下方寄りに配されているコンテナとして構成することもできる。このように構成すれば、コンテナを上下に重ね、最上段の補強壁の孔が塞がっている場合であっても、この補強壁の孔に値札を直に取り付けることができる。
【０００９】
さらに、前記孔が横方向に距離をおいた少なくとも２箇所に設けられているコンテナとして構成することもできる。このように構成すれば、２本の支持棒の間に値札を横断幕のように支持することができ、より多くの情報を見やすく提示することができる。
【考案の効果】
【００１０】
本考案のコンテナには値札の支持棒を抜き挿しするための孔が設けられているので、値札の取り付けおよび取り外し作業が極めて容易である。
【図面の簡単な説明】
【００１１】
【図１】本考案の実施の形態のコンテナの斜視図
【図２】コンテナに値札を取り付けた状態の斜視図
【図３】コンテナに値札を取り付けた状態の斜視図
【図４】本考案の他の実施の形態のコンテナの斜視図
【図５】他の実施の形態のコンテナに値札を取り付けた状態の斜視図
【考案を実施するための形態】
【００１２】
図１に本考案の実施の形態のコンテナの構造を示す。コンテナ１０は、矩形の底壁１２と、底壁１２の短辺側から上方に連続する２つ側壁１４と、長辺側から上方に連続する２つの側壁１６で構成されている。４つの側壁１４、１６と底壁１２はそれぞれ切れ目なく連続している。底壁１２と４つの側壁１４、１６の内側に形成される空間に野菜や果物などの食品を収納する。
【００１３】
側壁１４、１６にはリブ（補強壁）が形成されている。リブは広い開口部を有するコンテナ１０の剛性を高めるためのものであり、縦方向の補強壁１８と横方向の補強壁２０、２２を交差させている。補強壁１８は側壁１４と側壁１６が連続する４箇所の角部に沿って形成されている。補強壁２０は側壁１４、１６の上辺から外側に張り出すように形成されている。補強壁２２は主補強壁である補強壁２０の下方に適当な距離をおいて配置された副補強壁であり、側壁１４、１６の壁面から外側に張り出すように形成されている。
【００１４】
側壁１４、１６にはコンテナ１０を持ち運ぶ際の持ち手となる開口部２４が形成されている。側壁１４、１６と底壁１２にはコンテナ１０が野菜や果物などの農産物の運搬用のものであれば全面に通気孔を設ける（図１に示すコンテナでは通気孔を省略している）。
【００１５】
補強壁２０には上下方向に貫通する４つの孔２６が形成されている。これらの孔２６は底壁１２の長辺側の２つの側壁１６のそれぞれの両端近くに形成されている。補強壁２２にも同様に４つの孔２８が形成されている。これらの孔２８は、孔２６の下方となる位置で補強壁２２に上下方向に貫通して形成されている。
【００１６】
図２にコンテナ１０に値札を取り付けた例を示す。横断幕状の値札３０は２本の支持棒３２の間に支持されている。２本の支持棒３２は後方の側壁１６の両端近くに形成されている孔２６、２８に挿入されている。孔２６、２８は上下方向において連通しているので、支持棒３２は略鉛直方向に起立した姿勢で支持される。２つの孔２６、２８に挿入された支持棒３２は補強壁２０、２２によって上下の２点で支持されるため、容易に傾いたりすることはない。従って、値札３０の向きや位置が安定し、客はコンテナ１０に収納されている商品の値段を確認しやすい。値札３０の高さは支持棒３２に取り付けられたストッパ３４の位置で調整する。
【００１７】
図３にコンテナ１０に値札を取り付けた他の例を示す。値札４０は支持棒４２の先端に支持されている。支持棒４２は後方の側壁１６の左端近くに形成されている孔２６、２８に挿入されている。孔２６、２８は上下方向において連通しているので、支持棒４２は略鉛直方向に起立した姿勢で支持される。２つの孔２６、２８に挿入された支持棒４２は補強壁２０、２２によって上下の２点で支持されるため、容易に傾いたりすることはない。従って、値札４０の位置が安定し、客はコンテナ１０に収納されている商品の値段を確認しやすい。値札４０の高さは支持棒４２に取り付けられたストッパ４４の位置で調整する。
【００１８】
なお１本の支持棒で値札を支持する場合、孔が円形であると支持棒が回転し、値札の向きが安定しないという問題がある。この問題は、孔を楕円形や多角形の形状とし、支持棒の断面形状をそれに倣った形状とすることで解決することができる。
【００１９】
図４に本考案の他の実施の形態のコンテナを示す。コンテナ５０には側壁５４、５６の壁面から外側に張り出す補強壁５８が形成されている。補強壁５８は側壁５４、５６の高さ方向における中心より下方寄りに形成されている。補強壁５８には、底壁５２の長辺側の２つの側壁５６のそれぞれの両端近くに上下方向に貫通する孔５９が形成されている。
【００２０】
図５にコンテナ５０に値札を取り付けた例を示す。値札６０は支持棒６２の先端に支持されている。支持棒６２は孔５９に挿入されている。支持棒６２は比較的短く形成されているので、値札６０は補強壁５８に直に接触し、向きや位置が安定した状態となっている。補強壁５８は下方寄りに形成され、補強壁２２との間には十分なスペースがあるので、このスペースを利用して値札６０を容易に取り付けることができ、また取り外すことができる。
【００２１】
コンテナ１０は上下に重ねたときに孔２６が塞がってしまい、値札３０、４０を取り付けることができなくなる。これに対しコンテナ５０の孔５９は塞がらないので、コンテナ５０は重ねたときでも値札６０を取り付けることができるという利点がある。
【００２２】
コンテナ１０、５０は、外側に張り出す補強壁２０、２２、５８に値札３０、４０、６０を取り付けるための孔２６、２８、５９が形成されているので、商品が隙間なく詰め込まれている場合であっても容易に値札３０、４０、６０を取り付けることができる。値札３０、４０、６０を取り付けは、支持棒３２、４２、６２を孔２６、２８、５９に挿入しているだけであるので、取り外しも極めて容易である。また、値札３０、４０、６０はコンテナ１０、５０の外側に取り付けられるので、客の商品選びの邪魔になることはない。さらに、値札３０、４０、６０はコンテナ１０、５０に直接取り付けられるので、コンテナ１０、５０を並べ替えるときに別途に移動させる必要はない。
【００２３】
コンテナ１０、５０に収納する商品は農産物のみならず、魚介類や肉類などの他の食品であってもよく、さらには食品以外の様々な商品であってもよい。また、孔２６、２８、５９には値札３０、４０、６０以外のもの、例えば生産地や生産者、セールスポイントなどの情報を記した札などを取り付けることもできる。
【００２４】
孔２６、２８、５９の数および位置は前述したものに限定されない。しかし、あまり多すぎると補強壁の本来の機能を損ねるので、コンテナ１０、５０の剛性が確保できるように定めるべきである。また孔２６、２８、５９の大きさについても同様である。
【符号の説明】
【００２５】
１０、５０  コンテナ
１２、５２  底壁
１４、１６、５４、５６  側壁
２０、２２、５８  補強壁
２６、２８、５９  孔
３０、４０、６０  値札
３２、４２、６２  支持棒
【図１】
0003152194.tif 000003
【図２】
0003152194.tif 000004
【図３】
0003152194.tif 000005
【図４】
0003152194.tif 000006
【図５】
0003152194.tif 000007